(57)【特許請求の範囲】
【請求項１】
長辺板部と短辺板部により形成され、
前記長辺板部と前記短辺板部のそれぞれには一対の立設部及び一対の突起が一体的に形成され、
前記長辺板部の前記一対の突起がフロアパネルの開口部の周部から開口部内に突出して形成されたフランジ部に係合することにより前記長辺板部を上面として前記フロアパネルの開口部に直接設置可能であると共に、
前記短辺板部の前記一対の突起が前記フランジ部に係合することにより前記短辺板部を上面として前記フロアパネルの開口部に直接設置可能であって、
前記短辺板部の前記長辺板部と反対側の端部の一部から前記長辺板部と反対の方向に向かって伸びる、開口調整板部を折曲げ・伸長可能に設け、
前記短辺板部を上面として、前記開口調整板部を前記短辺板部から折曲がった状態で前記フロアパネルの開口部に設置することにより、前記短辺板部が前記フロアパネルの開口部の開放側の一部を閉鎖して第１の開口を形成すると共に、
前記短辺板部を上面として、前記開口調整板部を前記短辺板部と同一平面となるように伸長させた状態で前記フロアパネルの開口部に設置することにより、前記開口調整板部が前記第１の開口の一部を閉鎖して２つの開口を形成する
ことを特徴としたフロアパネル開口部用蓋。
【発明の詳細な説明】
【０００１】
【発明の属する技術分野】
本発明は、フリーアクセスフロアを構成するフロアパネルに関し、特にその開口部用蓋に関するものである。
【０００２】
【従来の技術】
従来のフロアパネル開口部用蓋としては、例えば特許第３０５６８６８号に係るフロアパネルのコンセント取付孔の塞ぎ蓋がある。この従来の塞ぎ蓋は、フロアパネルに形成されたコンセント取付孔から床下に物が落下することを防止するために用いられ、上面板部の一部が下方に回動可能となっている。
【０００３】
そして、その塞ぎ蓋の上面板部の一部を下方に回動させるとコンセント取付孔の一部が開いて、その開口に床下から床上への各種配線を挿通させることができるようになっている。各種配線を挿通させるだけの場合には、コンセント取付孔よりも小さい開口面積でよいからである。
【０００４】
【発明が解決しようとする課題】
しかしながら、このような従来のフロアパネルのコンセント取付孔の塞ぎ蓋においては、塞ぎ蓋にさらに小開口を開ける小さい蓋を設ける構成となっているので、その構造が複雑となってしまうために、フロアパネル或はフリーアクセスフロアのコストアップが避けられないという問題があった。
【０００５】
そこで本発明は、上記問題点に鑑みて、構造が簡単で、フロアパネル或はフリーアクセスフロアのコストアップを防止することができるような、フロアパネル開口部用蓋を提供することを課題とするものである。
【０００６】
【課題を解決するための手段】
上記課題を解決するために、本発明によるフロアパネル開口部用蓋は、
長辺板部と短辺板部により形成され、
前記長辺板部と前記短辺板部のそれぞれには一対の立設部及び一対の突起が一体的に形成され、
前記長辺板部の前記一対の突起がフロアパネルの開口部の周部から開口部内に突出して形成されたフランジ部に係合することにより前記長辺板部を上面として前記フロアパネルの開口部に直接設置可能であると共に、
前記短辺板部の前記一対の突起が前記フランジ部に係合することにより前記短辺板部を上面として前記フロアパネルの開口部に直接設置可能であって、
前記短辺板部の前記長辺板部と反対側の端部の一部から前記長辺板部と反対の方向に向かって伸びる、開口調整板部を折曲げ・伸長可能に設け、
前記短辺板部を上面として、前記開口調整板部を前記短辺板部から折曲がった状態で前記フロアパネルの開口部に設置することにより、前記短辺板部が前記フロアパネルの開口部の開放側の一部を閉鎖して第１の開口を形成すると共に、
前記短辺板部を上面として、前記開口調整板部を前記短辺板部と同一平面となるように伸長させた状態で前記フロアパネルの開口部に設置することにより、前記開口調整板部が前記第１の開口の一部を閉鎖して２つの開口を形成することを特徴としたものである。
【０００７】
【発明の実施の形態】
以下、本発明の実施の形態について、図面に基づいて具体的に説明する。
図１ないし図７は、本発明によるフロアパネル開口部用蓋の第１の実施の形態について説明するために参照する図である。
【０００８】
図１に示すように、フロアパネル１０の両側部には開口部１２，１２が形成されている。フロアパネル１０の開口部１２の周部には、図２に示すようなフランジ部１４がコの字型に形成され、このフランジ部１４の上面とフロアパネル１０の上面との間には段差１６が形成されている。
【０００９】
フロアパネル１０の開口部１２には、図４に示すような長辺板部２０ａと短辺板部２０ｂにより形成された蓋２０が設置される。図５及び図６に示すように、長辺板部２０aには切り欠き折り曲げ加工により一対の立設部２２が形成され、立設部２２にはエンボス加工により突起２２ａが形成されている。
【００１０】
また短辺板部２０ｂにも同様に、一対の立設部２３及び突起２３ａが形成されている。開口部１２が不要である場合には、図３に示すように、長辺板部２０ａをフランジ部１４に載置して開口部１２を閉塞する。このとき、長辺板部２０ａの上面とフロアパネル１０の表面は同一平面となる。
【００１１】
このとき長辺板部２０ａの一対の立設部２２はフランジ部１４の内側に嵌合し、その立設部２２を押し込む際に立設部２２は弾性変形してその突起２２ａがフランジ部１４を乗り越え、その後突起２２ａがフランジ部１４の下側に入り込んで係合することにより、長辺板部２０ａがフランジ部１４から容易に外れることを防止することができる。
【００１２】
図３に示す状態の長辺板部２０ａをフロアパネル１０のフランジ部１４から取り外すときは、長辺板部２０ａを押し上げる（或はこじ開ける）際に、やはり立設部２２を弾性変形させて、突起２２ａがフランジ部１４を乗り越えるようにさせればよい。
【００１３】
一方、開口部１２の一部を開口する場合には、図７に示すように、蓋２０の短辺板部２０ｂをフランジ部１４に載置する。このとき、短辺板部２０ｂは開口部１２に比べ面積が小さいため、開口部１２の一部のみ閉塞されて残りの部分は開口されることになる。また、短辺板部２０bには立設部２３及び突起２３aが形成されているため、長辺板部２０aと同様にフランジ部１４への取り付け、取り外しが可能となる。
【００１４】
従って、開口部１２が不要である場合には長辺板部２０aを、開口部１２に配線を挿通する場合には短辺板部２０bを、それぞれフランジ部１４に載置すればよい。また、開口部１２にコンセント類を設置する場合には、開口部１２から蓋２０を取り外せばよい。
【００１５】
【本発明の第２の実施の形態】
図８ないし図１２は、本発明の第２の実施の形態について説明するために参照する図である。
【００１６】
第２の実施の形態における蓋２１は、図９に示すように、回動板部２１ｃ（開口調整板部に相当）が設けられている点で第１の実施の形態における蓋２０と異なる。開口部１２が不要である場合には、図８に示すように、長辺板部２１ａをフランジ部１４に載置して開口部１２を閉塞する。また、開口部１２の一部を開口する場合には、図１０に示すように、蓋２１の短辺板部２１ｂをフランジ部１４に載置する。
【００１７】
ところで、図１０においても、挿通する配線量が少なく、開口面積が必要以上に大きい場合も少なくない。そこで開口面積をさらに小さくする場合には、図１１に示すように、短辺板部２１ｂに形成された回動板部２１cを、短辺板部２１bと同一平面となるように矢印方向に回動した後、図１２に示すようにフランジ部１４に載置すればよい。
【００１８】
また、挿通する配線量が増加した場合には、回動板部２１cを前述と逆方向に回動し、開口面積を大きくすることもできる。すなわち、第２の実施の形態における蓋２１は、挿通する配線の数量や径の大きさに応じて開口部１２の開口面積を調整することが可能となる。
【００１９】
なお、上記第１及び第２の実施の形態においては、いずれも長辺板部により開口部が閉塞する場合を説明したが、長辺板部をフランジ部に載置した場合でも開口部の一部が開口されるようにしてもよい。
【００２０】
また、図３又は図８に示すように、蓋の長辺板部をフランジ部に載置した状態でフロアパネルを積み重ねて搬送できるようにするために、図４及び図９における短辺板部の長さＰは、フロアパネルの厚さ（高さ）より大きくならないことが好ましい。
【００２１】
以上、本発明の実施の形態について具体的に述べてきたが、本発明は上記の実施の形態に限定されるものではなく、本発明の技術的思想に基づいて、その他にも各種の変更が可能なものである。
【００２２】
【発明の効果】
以上説明したように、本発明のフロアパネル開口部用蓋によれば、長辺板部と短辺板部の双方が交互にフロアパネル開口部に設置可能であるため、必要に応じて開口部の開口面積を変えることができ、不必要な開口の形成を防止することができる。また、本発明のフロアパネル開口部用蓋は構造が簡単であるため、フロアパネル或はフリーアクセスフロアのコストアップを防止することができる。
【図面の簡単な説明】
【図１】本発明の第１の実施の形態に係るフロアパネル１０を示すその平面図である。
【図２】フロアパネル１０の開口部１２周辺の拡大斜視図である。
【図３】開口部１２を閉止するようフロアパネル１０に蓋２０を取り付けた状態を示す斜視図である。
【図４】蓋２０を示すその側面図である。
【図５】図４における蓋２０のＡ矢視図である。
【図６】図４における蓋２０のＢ矢視図である。
【図７】フロアパネル１０への蓋２０の他の取り付け状態を示す斜視図である。
【図８】本発明の第２の実施の形態に係る蓋２１をフロアパネル１０に取り付けた状態を示す斜視図である。
【図９】蓋２１を示すその側面図である。
【図１０】フロアパネル１０への蓋２１の他の取り付け状態を示す斜視図である。
【図１１】蓋２１の折返し板部２１ｃの回動後の状態を示す斜視図である。
【図１２】フロアパネル１０への蓋２１のさらに他の取り付け状態を示す斜視図である。
【符号の説明】
１０  フロアパネル
１２  開口部
１４  フランジ部
１６  段差
２０，２１  蓋
２０ａ，２１ａ  長辺板部
２０ｂ，２１ｂ  短辺板部
２１ｃ  折返し板部
２２，２３  立設部
２２ａ、２３ａ  突起
【図１】
0004733872.tif 000002
【図２】
0004733872.tif 000003
【図３】
0004733872.tif 000004
【図４】
0004733872.tif 000005
【図５】
0004733872.tif 000006
【図６】
0004733872.tif 000007
【図７】
0004733872.tif 000008
【図８】
0004733872.tif 000009
【図９】
0004733872.tif 000010
【図１０】
0004733872.tif 000011
【図１１】
0004733872.tif 000012
【図１２】
0004733872.tif 000013